(57)【要約】【課題】  例えば、容易にかつ手軽に身に着け、常に確実に着信を通知する。【解決手段】  着信通知端末５は、アクセサリに組み込まれて、ユーザに身に着けられる。制御部２４は、携帯電話機２から、着信情報をブルートゥース受信部２６を介して受信し、着信有りと判定すると、設定情報に基づいて、着信時動作の着信報知手段として、鳴動部３１が選択されているときは、鳴動部３１を制御し、ブザーを鳴動させ、振動部３２が選択されているときは、振動部３２を制御し、バイブレータを振動させ、発光部３３が選択されているときは、発光部３３を制御し、ＬＥＤを点滅させる。【選択図】  図３
2010213137.tif 000002
【特許請求の範囲】
【請求項１】
無線通信機能を有する移動可能な携帯通信装置に、近距離無線通信によって接続可能とされ、前記携帯通信装置に着信があった場合に、前記携帯通信装置から着信情報を近距離無線通信によって受信するための着信情報受信手段と、前記着信情報に基づいて、着信を報知するための着信報知手段とを備えたことを特徴とする着信通知端末。
【請求項２】
前記携帯通信装置に、ブルートゥースを用いた近距離無線通信によって、接続可能とされ、ユーザが身に着ける装身具に、組み込まれて又は取り付けられて用いられ、前記着信報知手段として、報知音の出力により着信を報知する音声出力手段と、振動体の振動により着信を報知する振動手段と、発光体の発光により着信を報知する発光手段とのうち、少なくとも１つを備えたことを特徴とする請求項１記載の着信通知端末。
【請求項３】
無線通信機能を有する移動可能な携帯通信装置に、前記携帯通信装置への着信を報知する単数又は複数の着信通知端末が、近距離無線通信によって接続可能とされて構成され、前記携帯通信装置は、着信があると、前記着信通知端末へ着信情報を、近距離無線通信によって送信する着信情報送信手段を備え、前記着信通知端末は、前記携帯通信装置から前記着信情報を受信するための着信情報受信手段と、前記着信情報に基づいて、着信を報知するための着信報知手段とを備えたことを特徴とする着信通知システム。
【発明の詳細な説明】
【技術分野】
【０００１】
この発明は、例えば、携帯電話機に近距離無線通信により接続される着信通知端末及び着信通知システムに関する。
【背景技術】
【０００２】
従来より、携帯電話機は、移動中や外出先でも通話や電子メールの送受信等が可能であることから、広く普及している。ユーザは、着信時には、着信音やＬＥＤ点滅等によって通知を受けることによって、着信を知ることができる。ところで、一般にユーザは、移動中には、携帯電話機を、ハンドバッグや、鞄等に入れて持ち歩く場合が多い。特に、女性のユーザは、服のポケット等に入れずに、ハンドバッグや、ポーチ等に入れる場合がほとんどである。ところが、こうしてハンドバッグ等に携帯電話機を仕舞い込んでしまうと、着信に気付き難いという問題がある。このため、着信時に、他の携帯電話機に接続し、所定の報知パターンで報知させる技術が提案されている。（例えば、特許文献１参照。）。
【先行技術文献】
【特許文献】
【０００３】
【特許文献１】特開２００５−２７７７０７号公報
【発明の概要】
【発明が解決しようとする課題】
【０００４】
しかしながら、上記従来技術では、移動中でも複数台携帯していることが前提であり、かつ、いずれにしても、ユーザが手軽に身に着けることが困難であるので、特に移動中に、ユーザに確実に着信を通知することが困難であるという問題がある。
【０００５】
この発明は、前記の課題を解決し、例えば、容易にかつ手軽に身に着けることができ、常に確実に着信を通知することができる着信通知端末及び着信通知システムを提供することを目的としている。
【課題を解決するための手段】
【０００６】
前記の課題を解決するために、請求項１の発明に係る着信通知端末は、無線通信機能を有する移動可能な携帯通信装置に、近距離無線通信によって接続可能とされ、前記携帯通信装置に着信があった場合に、前記携帯通信装置から着信情報を近距離無線通信によって受信するための着信情報受信手段と、前記着信情報に基づいて、着信を報知するための着信報知手段とを備えたことを特徴としている。
【０００７】
請求項１の発明では、携帯通信装置に着信があった場合に、着信情報受信手段が、携帯通信装置から着信情報を近距離無線通信によって受信し、着信報知手段が、着信情報に基づいて、着信を報知する。
【０００８】
請求項２の発明は、請求項１記載の着信通知端末であって、前記携帯通信装置に、ブルートゥースを用いた近距離無線通信によって、接続可能とされ、ユーザが身に着ける装身具に、組み込まれて又は取り付けられて用いられ、前記着信報知手段として、報知音の出力により着信を報知する音声出力手段と、振動体の振動により着信を報知する振動手段と、発光体の発光により着信を報知する発光手段とのうち、少なくとも１つを備えたことを特徴としている。
【０００９】
請求項３の発明に係る着信通知システムは、無線通信機能を有する移動可能な携帯通信装置に、前記携帯通信装置への着信を報知する単数又は複数の着信通知端末が、近距離無線通信によって接続可能とされて構成され、前記携帯通信装置は、着信があると、前記着信通知端末へ着信情報を、近距離無線通信によって送信する着信情報送信手段を備え、前記着信通知端末は、前記携帯通信装置から前記着信情報を受信するための着信情報受信手段と、前記着信情報に基づいて、着信を報知するための着信報知手段とを備えたことを特徴としている。
【発明の効果】
【００１０】
請求項１の発明によれば、携帯通信装置に着信があった場合に、着信情報受信手段が、携帯通信装置から着信情報を近距離無線通信によって受信し、着信報知手段が、着信情報に基づいて、着信を報知するので、常に確実に着信を通知することができる。
【００１１】
請求項２の発明によれば、携帯通信装置に、ブルートゥースを用いた近距離無線通信によって、接続可能とされ、ユーザが身に着ける装身具に、組み込まれて又は取り付けられて用いられるので、違和感なく自然に身に着けた状態で携帯することができ、容易にかつ手軽に身に着けることができ、例えば、移動中であっても、常に確実に着信を通知することができる。
【００１２】
請求項３の発明によれば、携帯通信装置に、携帯通信装置への着信を報知する複数の着信通知端末が、近距離無線通信によって接続可能とされることによって、複数箇所で着信通知可能とされ、ユーザの居場所にかかわらず、常に確実に着信を通知することができる。
【図面の簡単な説明】
【００１３】
【図１】この発明の実施の形態１に係る移動通信システムの構成を説明するための説明図である。
【図２】同移動通信システムの携帯電話機の構成を示すブロック図である。
【図３】同移動通信システムの着信通知端末の構成を示すブロック図である。
【図４】同着信通知端末の構成を示す斜視図である。
【図５】同着信通知端末の構成を示す分解斜視図である。
【図６】同着信通知端末の動作を説明するための処理手順図である。
【図７】この発明の実施の形態２に係る移動通信システムの構成を説明するための説明図である。
【発明を実施するための形態】
【００１４】
次に、この発明の実施の形態について、図面を用いて詳しく説明する。
【００１５】
（実施の形態１）
図１は、この発明の実施の形態１に係る移動通信システムの構成を説明するための説明図、図２は、同移動通信システムの携帯電話機の構成を示すブロック図、図３は、同移動通信システムの着信通知端末の構成を示すブロック図、図４は、同着信通知端末の構成を示す斜視図、図５は、同着信通知端末の構成を示す分解斜視図である。
【００１６】
図１に示すように、この発明の実施の形態１に係る移動通信システム１は、携帯電話機２，２，…が、基地局３，３，…を介してネットワーク４に接続可能とされ、かつ、各携帯電話機２は、ブルートゥース（ｂｌｕｅｔｏｏｔｈ：登録商標）を用いた近距離無線通信によって、着信通知端末５と接続可能とされて概略構成されている。携帯電話機２には、ブルートゥースを用いた近距離無線通信によって、着信通知端末５が接続可能とされて、着信通知システムが構成されている。また、ネットワーク４は、電話回線網や、インターネット等の通信ネットワークを含んでいる。
【００１７】
各携帯電話機２は、通話機能や、インターネットに接続してホームページの閲覧や電子メールの送受信が可能なデータ通信機能のほか、ブルートゥースを用いた近距離無線通信機能を有し、図２に示すように、構成各部を制御する制御部７と、記憶部８と、アンテナ９が接続された無線通信部１１と、アンテナ１２が接続されたブルートゥース送信部１３と、操作部１４と、表示部１５と、送話部１６と、受話部１７と、音声出力部１８と、発光部１９と、振動部２１と、電源部２２とを有している。
【００１８】
制御部７は、ＣＰＵ（中央処理装置）等を含み、記憶部８に記憶された所定の制御プログラムに従って、携帯電話機本体を制御し、近距離無線通信制御処理や着信通知処理等を実行する。制御部７は、近距離無線通信制御処理で、対応する着信通知端末５との間で行うブルートゥースを用いた近距離無線通信を制御する。制御部７は、着信通知処理で、着信時に、音声出力部１８、発光部１９、及び振動部２１を制御して、着信音を出力させ、ＬＥＤを発光させ、バイブレータを振動させるとともに、着信情報を、ブルートゥース送信部１３を介して、着信通知端末５に送信させる。
【００１９】
また、記憶部８は、ＲＯＭ、ＲＡＭ等の半導体メモリからなり、制御部７が実行する各種処理プログラムや各種情報等が記憶される。また、無線通信部１１は、アンテナ９を介して無線電波の送受信を行い、所定のプロトコルに従って通話やデータ通信を行うために用いられる。また、ブルートゥース送信部１３は、着信時に、アンテナ１２を介してブルートゥースを用いた近距離無線通信によって、着信通知端末５へ着信情報を送信するために用いられる。ブルートゥース送信部１３は、２．４５ＧＨｚ帯の電波をアンテナ１２を介して送信するためのＲＦチップとベースバンドチップとを有し、着信通知端末５へ着信情報を送信するために用いられる。ここで、電波伝送距離は、略１０ｍとされる。
【００２０】
また、操作部１４は、各種操作キー等からなっている。また、表示部１５は、液晶ディスプレイ等からなり、受信した電子メールの内容や機能設定画面、待受画面等が表示される。また、送話部１６は、送話音声を入力するマイクロフォンからなっている。また、受話部１７は、受話音声を出力するスピーカからなっている。また、音声出力部１８は、例えば、着信時に着信音等を出力する。また、発光部１９は、着信時に発光するＬＥＤを含んでいる。また、振動部２１は、着信時に振動するバイブレータを含んでいる。また、電源部２２は、バッテリパックを含んでいる。
【００２１】
着信通知端末５は、図３乃至図５に示すように、例えば、コイン状（円板状）の筐体２３に、各種電子部品が収納され又は取り付けられて構成され、着信通知端末本体の構成各部を制御する制御部２４、制御部２４が実行する各種プログラムや各種情報等が記憶される記憶部２５、及び内蔵のアンテナ２８が接続され、携帯電話機２からブルートゥースを用いて着信情報を受信するためのブルートゥース受信部２６が搭載された小型の主基板２７と、操作部２９と、鳴動部３１と、振動部３２と、発光部３３と、電源部３４とを有している。
【００２２】
筐体２３は、フロントケース２３ａとリアケース２３ｂとが嵌合等により、所定の寸法に一体化されてなっている。この実施の形態では、着信通知端末５は、ユーザが身に着ける装身具に組み込まれて一体化されて、又は取り付けられて用いられる。装身具は、イヤリング、ブレスレット、ブローチ、ペンダント、ネックレス、チャーム等のアクセサリーや、腕時計等を含んでいる。
【００２３】
制御部２４は、ＣＰＵ（中央処理装置）等を含み、記憶部２５に記憶された所定の制御プログラムに従って、着信通知端末本体を制御し、近距離無線通信制御処理や、操作制御処理、着信通知処理等を実行する。制御部２４は、近距離無線通信制御処理で、対応する携帯電話機２との間で行うブルートゥースを用いた近距離無線通信を制御する。制御部２４は、操作制御処理で、操作部２９の操作釦の操作に応じて、着信時の鳴動部３１、振動部３２、及び発光部３３の動作／休止の設定を行う。
【００２４】
この実施の形態では、制御部２４は、操作釦が、所定時間（例えば、８秒）長押しされた場合に、電源オンとし、電源オン時に、操作釦が、所定時間（例えば、８秒）長押しされた場合に、電源オフとなるように、制御する。また、制御部２４は、電源オン時に、操作釦が、１回押下されて鳴動部３１を、２回連続押下されて振動部３２を、３回連続押下されて発光部３３を、着信時動作の着信報知手段として選択（設定）する。これにより、鳴動報知モード、振動報知モード、発光報知モード、及び２つ以上の着信報知手段が同時に動作する複合モードとが選択される。設定情報は、例えば、記憶部２５に記憶される。なお、操作釦が、例えば、１回押下されて鳴動部３１を、着信時動作の着信報知手段として選択（設定）した後に、再び１回押下されたときに、設定解除とする。
【００２５】
制御部２４は、着信通知処理で、着信時に、設定情報に基づいて、鳴動部３１、振動部３２、及び発光部３３を制御する。すなわち、着信時動作の着信報知手段として、鳴動部３１が選択（設定）されているときは、鳴動部３１を制御し、ブザーを鳴動させ、振動部３２が選択（設定）されているときは、振動部３２を制御し、バイブレータを振動させ、発光部３３が選択（設定）されているときは、発光部３３を制御し、ＬＥＤを点滅させる。
【００２６】
操作部２９は、電源オン／オフ操作や設定操作等を行うための操作釦からなっている。また、鳴動部３１は、ブザー及びその駆動回路を含んでいる。また、振動部３２は、バイブレータ及びその駆動回路を含んでいる。また、発光部３３は、ＬＥＤ及びその駆動回路を含んでいる。また、電源部３４は、例えば、交換型の釦電池（リチウムコイン電池）からなっている。
【００２７】
この着信通知端末５においては、着信通知機能に特化し、ブルートゥースを用いて近距離無線通信を行い、着信の事実のみを着信情報として受信することにより、構成を簡略化し、小型化及び軽量化に成功している。筐体２３は、フロントケース２３ａとリアケース２３ｂとが嵌合等により、例えば、直径略２４ｍｍ、厚さ略７ｍｍに一体化され、着信通知端末全体の重量は、略８ｇに抑えられている。このため、上述したように、アクセサリーへの組込みが可能となっている。また、電源として、交換型のリチウムコイン電池等の釦電池を用いることで、例えば、待受状態で略３ヶ月の使用を実現することができた。
【００２８】
次に、上記構成の移動通信システムの動作について説明する。図６は、この発明の実施の形態１に係る移動通信システムの着信通知端末の動作を説明するための処理手順図である。まず、携帯電話機２と着信通知端末５との間で相互認証を行い接続相手を特定するためのペアリング処理を行う。次に、着信通知端末５において、制御部２４は、操作部２９の操作釦の操作に応じて、着信時の鳴動部３１、振動部３２、及び発光部３３の動作／休止の設定を行う。制御部２４は、電源オン時に、操作釦が、１回押下されて鳴動部３１を、２回連続押下されて振動部３２を、３回連続押下されて発光部３３を、着信時動作の着信報知手段として選択（設定）する。なお、この実施の形態では、３つの着信報知手段（鳴動部３１、振動部３２、及び発光部３３）のうち、少なくとも１つは、オンに設定しておくものとする。
【００２９】
携帯電話機２において着信があると、制御部７は、音声出力部１８、発光部１９、及び振動部２１を制御して、それぞれ、着信音を出力させ、ＬＥＤを発光させ、バイブレータを振動させるとともに、着信情報を、ブルートゥース送信部１３を介して、着信通知端末５へ送信させる。
【００３０】
着信通知端末５では、制御部２４は、着信有りか否か判定する（ステップＳＡ１１（図６））。制御部２４は、着信情報をブルートゥース受信部２６を介して受信し、着信有りと判定すると、ステップＳＡ１２へ進み、着信無しの場合は、ステップＳＡ１８へ進む。ステップＳＡ１２では、制御部２４は、ブザーが設定されているか否か（鳴動報知機能がオンとされているか否か）を判定し、ブザー設定されている場合は、ステップＳＡ１３へ進み、ブザー設定されていない場合は、ステップＳＡ１４へ進む。ステップＳＡ１３では、制御部２４は、鳴動部３１を制御してブザーを鳴動させ、ステップＳＡ１４へ進む。
【００３１】
ステップＳＡ１４では、制御部２４は、バイブレータが設定されているか否か（振動報知機能がオンとされているか否か）を判定し、バイブレータ設定されている場合は、ステップＳＡ１５へ進み、バイブレータ設定されていない場合は、ステップＳＡ１６へ進む。ステップＳＡ１５では、制御部２４は、振動部３２を制御してバイブレータを振動させ、ステップＳＡ１６へ進む。
【００３２】
ステップＳＡ１６では、ＬＥＤが設定されているか否か（発光報知機能がオンとされているか否か）を判定し、ＬＥＤ設定されている場合は、ステップＳＡ１７へ進み、ＬＥＤ設定されていない場合は、ステップＳＡ１８へ進む。ステップＳＡ１７では、制御部２４は、発光部３３を制御してＬＥＤを点滅させ、ステップＳＡ１８へ進む。ステップＳＡ１８では、制御部２４は、電源オンか否か判定し、オンの場合は、ステップＳＡ１１へ戻り、例えば、オフ操作があった場合は、処理を終了する。
【００３３】
こうして、この実施の形態の構成によれば、着信通知機能に特化し、さらに、着信情報として、携帯電話機２に対する着信の事実のみを、ブルートゥースを用いた近距離無線通信機能により、受信して報知すれば足りるので、構成を簡略化することができ、大幅な小型化及び軽量化を実現することができる。また、コストを低減することができる。また、電源として、交換型のリチウムコイン電池等の釦電池を用いることで、使用時間の長時間化と、取扱いの容易化を実現することができる。また、ユーザが身に着けるアクセサリに組み込んで用いることができるので、違和感なく自然に身に着けた状態で携帯することができる。したがって、容易にかつ手軽に身に着けることができ、例えば、移動中であっても、常に確実に着信を通知することができる。また、ディジタル通信方式により、十分近距離であれば環境に左右されることなく、携帯電話機に確実に接続し、着信情報の取りこぼしを防止することができる。
【００３４】
また、携帯電話機２も、着信通知端末５も、ペアリングしていない機器（端末）とは通信が成立しない。このため、混信が発生せず、たとえ、近傍（例えば半径略１０ｍの範囲内）に同等の機器（端末）が多数存在していても、ペアリングした携帯電話機２と着信通知端末５とのみが通信可能となる。また、電波伝送距離は、略１０ｍとされ、比較的広範囲な通信範囲を確保することができる。
【００３５】
（実施の形態２）
図７は、この発明の実施の形態２に係る移動通信システムの構成を説明するための説明図である。この実施の形態の構成が上述した実施の形態１の構成と大きく異なるところは、携帯電話機に複数の着信通知端末を接続し、複数箇所で着信通知可能となるように構成した点である。図７に示すように、この実施の形態の移動通信システムでは、携帯電話機２Ａには、近距離無線通信によって複数の着信通知端末５，５，…が接続可能とされている。各着信通知端末５は、例えば、ユーザの自宅の各部屋や、主要な居場所に配置される。ここで、各着信通知端末５は、ユーザの装身具に組み込まれていても良いし、他の電子機器や調度品等に組み込まれていても良いし、単独で配置されても良い。
【００３６】
この実施の形態の構成によれば、上述した実施の形態１と略同様の効果を得ることができる。加えて、複数箇所で着信通知可能とされているので、例えば、ユーザの居場所にかかわらず、確実に着信を通知することができる。
【００３７】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、着信通知端末で、近距離無線通信制御処理や、操作制御処理、着信通知処理等を制御部が、対応する制御プログラムを実行することによって行う場合について述べたが、一部又は全部を専用のハードウェアを用いて行い、他の一部を対応するプログラムを実行して処理するようにしても良い。また、それぞれ別々のＣＰＵが実行しても良いし、例えば、単一のＣＰＵが実行しても良い。
【００３８】
また、デフォルトで、全部の着信報知手段をオンとするように設定しておき、電源オン後の設定操作で、例えば連続押下回数に対応させて、ブザーや、バイブレータ、ＬＥＤを切り離し、オフとする機能を選択可能なようにしても良い。また、全てオフとすることも可能としても良い。
【００３９】
また、着信通知端末は、身に着けるか又は携帯するアクセサリに限らず、ハンドバッグ等に取り付けても良いし、単独で用いて、服のポケットに入れて用いても良い。また、筐体の形状は、円盤形と限らず、角形でも良い。この場合は、例えば、２２ｍｍ×１８ｍｍ、厚さ７ｍｍとすることができる。また、着信通知端末において、着信時に、各着信報知手段を、所定時間動作させても良いし、動作時に操作釦を押下して、動作を停止するようにしても良い。また、ブザーの音量を、例えば、４回連続押下の繰返しで、または、所定時間（例えば、４秒）長押しの後、押下回数（例えば、１０段階等）によって、調整するようにしても良い。また、携帯電話機における無線通信は、ＴＤＭＡを用いた無線通信のほか、ＣＤＭＡ（符号分割多元接続）等を用いた無線通信でも適用できる。また、電波伝送距離が略１０ｍとされる場合について述べたが、最大１００ｍまでとすることができ、さらに比較的広範囲な通信可能範囲を確保することができる。
【００４０】
また、実施の形態２で、複数の着信通知端末を用いる場合に、着信報知機能のオン／オフのスケジュールを設定して、少なくとも一台の端末は、少なくとも１つの着信報知機能をオンとしておくように、各着信通知端末を設定しておくようにしても良い。これにより、各着信通知端末の電源の電力を節約することができる。また、複数の着信通知端末を、それぞれ別のユーザが携帯しても良い。
【産業上の利用可能性】
【００４１】
携帯通信装置として、携帯電話機のほか、ＰＤＡや、ＰＨＳ、モバイルパーソナルコンピュータ等に接続する場合にも適用できる。
【符号の説明】
【００４２】
１  移動通信システム
２，２Ａ  携帯電話機（携帯通信装置）
５  着信通知端末
７  制御部
８  記憶部
１１  無線通信部
１３  ブルートゥース送信部（着信情報送信手段）
２４  制御部
２５  記憶部
２６  ブルートゥース受信部（着信情報受信手段）
３１  鳴動部（着信報知手段、音声出力手段）
３２  振動部（着信報知手段、振動手段）
３３  発光部（着信報知手段、発光手段）
【図１】
2010213137.tif 000003
【図２】
2010213137.tif 000004
【図３】
2010213137.tif 000005
【図４】
2010213137.tif 000006
【図５】
2010213137.tif 000007
【図６】
2010213137.tif 000008
【図７】
2010213137.tif 000009